Podtech/llm-jp-corpus-v4-ja_patent huggingface dataset:
(57)【要約】【課題】足が蒸れにくく、快適な靴を得る。【解決手段】樹脂製の靴底１の上面に、隔壁７，８で仕切られた多数の凹所９を形成し、その靴底１の上面に中敷６を敷いた靴において、凹所９，９同士を連通する切欠き１０を隔壁７に設け、その切欠き１０を介して連通した凹所９を外部に連通する空気孔１１を靴底１の側面に形成する。【選択図】図３
2008302113.tif 000002
【特許請求の範囲】
【請求項１】
樹脂製の靴底（１）の上面に、隔壁（７）で仕切られた多数の凹所（９）を形成し、その靴底（１）の上面に中敷（６）を敷いた靴において、前記凹所（９，９）同士を連通する連通路（１０）を前記隔壁（７）に設け、その連通路（１０）を介して連通した凹所（９）を外部に連通する空気孔（１１）を靴底（１）の側面に形成したことを特徴とする靴。
【請求項２】
前記連通路が、前記隔壁（７）の上縁に形成した切欠き（１０）である請求項１に記載の靴。
【発明の詳細な説明】
【技術分野】
【０００１】
この発明は、足の蒸れを低減した靴に関する。
【背景技術】
【０００２】
靴底を樹脂で形成した靴は、手入れが簡単であり、耐久性や経済性にも優れていることから、スニーカーやブーツ、ガーデンシューズなど靴全般に広く用いられている。
【０００３】
このように靴底を樹脂で成形した靴として、隔壁で仕切られた多数の凹所を靴底の上面に形成し、その靴底の上面に中敷を敷いたものが知られている。この靴は、多数の凹所により靴底の樹脂量を低減して、靴の軽量化を図るとともに、凹所を仕切る隔壁の弾性によって靴底にクッション性を付与している。
【発明の開示】
【発明が解決しようとする課題】
【０００４】
しかし、この靴は、中敷と靴底の凹所との間に閉鎖空間が形成されるので、足裏に熱がこもりやすく、足が蒸れやすい。足の蒸れは、単に不快であるばかりでなく、雑菌の繁殖による足の臭いや水虫の原因となる。
【０００５】
この発明が解決しようとする課題は、足が蒸れにくく、快適な靴を得ることである。
【課題を解決するための手段】
【０００６】
上記の課題を解決するため、樹脂製の靴底の上面に、隔壁で仕切られた多数の凹所を形成し、その靴底の上面に中敷を敷いた靴として、前記凹所同士を連通する連通路を前記隔壁に設け、その連通路を介して連通した凹所を外部に連通する空気孔を靴底の側面に形成したのである。このようにすると、靴底の凹所同士が連通するとともに、その凹所が靴の外部とも連通するので、靴を履いて歩いたときに、凹所内の空気が空気孔を通じて出入りする。そのため、凹所内の空気が換気されて、足の蒸れを低減することができる。
【０００７】
ここで、凹所同士を連通する連通路は、隔壁に形成した貫通孔を採用してもよいが、隔壁の上縁に形成した切欠きを採用すると好ましい。このようにすると、靴底を成形するときに隔壁に切欠きを成形することができるので、連通路の形成が容易であり、低コストである。
【発明の効果】
【０００８】
この発明の靴は、履いて歩いたときに、靴底の凹所内の空気が換気されるので、足が蒸れにくく、快適である。
【発明を実施するための最良の形態】
【０００９】
図１〜図４に、この発明に係る靴の実施形態を示す。この靴は、図１に示すように、樹脂成形した靴底１と、靴底１と一体に成形した甲部２、踵部３、履き口部４とを有し、その各部間に布生地５が張られている。また、靴底１の上面には、図３に示すように、中敷６が敷かれている。中敷６は、靴から取り外して洗浄可能となっている。
【００１０】
靴底１の上面には、図２、図３に示すように、靴の幅方向の隔壁７と、靴の長さ方向の隔壁８とで格子状に仕切られた多数の凹所９が形成されており、凹所９を仕切る隔壁７，８の上縁で、中敷６の裏面を支持するようになっている。
【００１１】
隔壁７の上縁には、図３，図４に示すように、円弧状の切欠き１０が形成され、その切欠き１０を介して、靴の長さ方向に隣り合う凹所９，９同士が連通している。また、靴底１の左右の側面には、切欠き１０を介して連通した凹所９を靴の外部に連通する空気孔１１が形成されている。
【００１２】
上記の構成からなる靴は、多数の凹所９により靴底１の樹脂量を低減しているので、軽量である。また、靴を履いて歩いたときに、隔壁７，８が弾性変形するので、クッション性に富み、足が疲れにくい。また、隔壁７，８が弾性変形したときに、凹所９の容積が変化し、凹所９内の空気が空気孔１１を通じて出入りする。そのため、靴を履いて歩いたときに、凹所９内の空気が換気されて、足裏に熱がこもりにくくなり、足の蒸れを防止することができる。
【００１３】
切欠き１０は、隔壁７，８のうちの両方の隔壁に形成してもよいが、上記実施形態で示すように、隔壁７，８のうちの隔壁７に形成すると好ましい。このようにすると、歩行により靴底１が変形したときに、切欠き１０に応力集中が生じにくく、靴底１の耐久性を確保することができる。
【００１４】
凹所９，９同士は、図５、図６に示すように、隔壁７に形成した貫通孔１２を介して連通することもできるが、上記実施形態に示したように、隔壁７の上縁に形成した切欠き１０を介して連通すると好ましい。このようにすると、靴底１を射出成形するときに隔壁７に切欠き１０を成形することができるので、低コストである。
【００１５】
上記実施形態では、空気孔１１を、靴底１の踵の位置の左右の側面に形成したが、凹所９を外部に連通する空気孔１１は、靴底１の踵の位置の後側の側面に形成してもよい。
【００１６】
靴底１の材質としては、例えば、ＰＶＣ（ポリ塩化ビニル）やＥＶＡ（エチレン酢酸ビニル共重合体）を使用することができ、中敷６の材質としては、ＥＶＡを使用することができる。また、中敷６は、表面と裏面の間で通気性を有するものを用いると、足の蒸れをより効果的に防止することができる。
【図面の簡単な説明】
【００１７】
【図１】この発明の実施形態の靴を横から見た図
【図２】図１に示す靴を上から見た断面図
【図３】図１に示す靴から中敷を外した状態を示す分解斜視図
【図４】図１のIV−IV線に沿った断面図
【図５】図３に示す靴の変形例を示す拡大斜視図
【図６】図５に示す靴の断面図
【符号の説明】
【００１８】
１        靴底
６        中敷
７，８    隔壁
９        凹所
１０      切欠き
１２      貫通孔
【図１】
2008302113.tif 000003
【図２】
2008302113.tif 000004
【図３】
2008302113.tif 000005
【図４】
2008302113.tif 000006
【図５】
2008302113.tif 000007
【図６】
2008302113.tif 000008
(57)【要約】【課題】本発明は、２台の自動交互運転する汚物ポンプの排水量調整と簡単にポンプの詰まりを除くための配管工事方法を提供する。【解決手段】２台自動交互運転の汚物ポンプで汚物槽内の汚物を排水する場合に、各ポンプの吐出管からバルブを設けた配管を分岐して互いを接続し、その接続した管から更にバルブを設けた配管を分岐して汚物槽内に戻す汚物ポンプの排水量調整と詰まり除去のための配管工事の方法【選択図】図１
2008302353.tif 000002
【特許請求の範囲】
【請求項１】
２台自動交互運転の汚物ポンプで汚物槽内の汚物を排水する場合に、各ポンプの吐出管からバルブを設けた配管を分岐して互いを接続し、その接続した管から更にバルブを設けた配管を分岐して汚物槽内に戻す汚物ポンプの排水量調整と詰まり除去のための配管工事の方法
【発明の詳細な説明】
【技術分野】
【０００１】本発明は、２台の自動交互運転する汚物ポンプの排水量調整と簡単にポンプの詰まりを除くための配管工事方法に関するものである。
【背景技術】
【０００２】  従来は、汚物ポンプからの排水量を調整する方法は吐出管のバルブを調整するか、目的の排水量に見合った厳密に適正なポンプを選定するしか方法はなかった。
また汚物ポンプが詰まった時はポンプを引き上げて詰まったものを直接手で取り除くしか方法はなかった。
【発明の開示】
【発明が解決しようとする課題】
【０００３】  その為に次のような問題点があった。
（イ）排水量を調整する目的で吐出管のバルブを絞る方法ではほとんどバルブを絞らなければならず、汚物に含まれる固形物等がバルブに詰まる恐れがあり、目標とする排水量までは調整が出来ない。
バルブ調整で流量調整が出来ない場合には流量に合わせたポンプの選定をするのだが、目標とする排水量は少量なので、適正なポンプを選定することは技術的に困難である。
（ロ）ポンプが詰まった時は、ポンプを引き上げてポンプの詰まりの原因の固形物等を直接手で取り除くしか方法は無い。
本発明はこれらの問題点を解決するためになされたものである。
【課題を解決するための手段】
【０００４】  ２台のポンプの吐出管をバルブを設けた配管で互いに接続し、その接続した配管から分岐して汚物槽に汚物管を戻すことで、ポンプの排水量をバルブで調整できるようにする。
またポンプが詰まった際は、詰まっていない方のポンプを稼動させ、詰まった方のポンプに排水をバルブ操作により送り込み、ポンプ内での流れを逆流させることで詰まりを取り除く。
以上を特徴とする配管工事の方法である。
【発明の効果】
【０００５】（イ）ポンプの能力に関わらず、汚物の排出量をバルブにて制御することが出来るので、ポンプによる一度に大量の汚物排水の際の悪臭を抑えることが出来る。
（ロ）汚物の一部を槽に戻すことで槽内の汚物の攪拌とばっ気が同時に行われ、汚物臭を軽減することが出来る。
（ハ）ポンプが詰まった場合、詰まっていない方のポンプを稼動させ詰まった方のポンプに排水を逆流させることで詰まりを手を汚さず簡単に取り除くことが出来る。
【発明を実施するための最良の形態】
【０００６】  以下、本発明の実施の形態について説明する。
（イ）  構成
本発明は、［図−１］に示すように１８  汚物槽内に２台自動交互運転する７  汚物ポンプと８  汚物ポンプがある場合に、各ポンプの吐出配管の１０  チャッキバルブ及び１２  チャッキバルブの下部から配管を取り出し、１  ゲートバルブ及び３  ゲートバルブを設けて接続し、さらにその接続管から分岐し、２  ゲートバルブを設け、６  配管で１８  汚物槽へ戻すものである。
（ロ）  機能の説明
１．汚物は、［図−２］に示すように９  ゲートバルブ、１１  ゲートバルブ、２  ゲートバルブを全開にして、７  汚物ポンプを稼動させると１６  配官、６  配管、８  汚物ポンプを通り排出される。
この場合の水量は、１  ゲートバルブ、３  ゲートバルブの開度により調整することができるので、１６  配管からの排水量が多く外部に汚水臭を発生させている場合に簡単にバルブ操作で対応することができる。
［図−２］において１  ゲートバルブが詰まったとしても、次にポンプが自動交互運転により８汚物ポンプに切り替わり［図−３］の流れになれば１  ゲートバルブの詰まりは逆方向の流れで押し戻されることで詰まりは解消される。３  ゲートバルブの詰まりも同様なメカニズムで解消されるので、流量調整機能は保持される。
２．６  配管からの戻される排水は、１８  汚物槽内の汚物を攪拌、ばっきすることで汚物臭を軽減する。
３．［図−４］に示すように、７  汚物ポンプが詰まったとき、２  ゲートバルブ、９  ゲートバルブ、１１  ゲートバルブを全閉し、１  ゲートバルブ、３  ゲートバルブを全開して８  汚物ポンプを稼動させると、排水はすべて７  汚物ポンプに逆流し、ほとんど詰まりを除くことが出来る。逆に８  汚物ポンプが詰まったときは、７  汚物ポンプを稼動させればよい。
【図面の簡単な説明】
【０００７】
【図１】本発明の構成図
【図２】７  汚物ポンプ稼動時の排水の流れ
【図３】８  汚物ポンプ稼動時の排水の流れ
【図４】ポンプの詰まり除去の時の排水の流れ
【符号の説明】
【０００８】  １  ゲートバルブ
２  ゲートバルブ
３  ゲートバルブ
４  配管
５  配管
６  配管
７  汚物ポンプ
８  汚物ポンプ
９  ゲートバルブ
１０  チャッキバルブ
１１  ゲートバルブ
１２  チャッキバルブ
１３  汚物
１４  配管
１５  配管
１６  配管
１７  配管
１８  汚物槽
【図１】
2008302353.tif 000003
【図２】
2008302353.tif 000004
【図３】
2008302353.tif 000005
【図４】
2008302353.tif 000006
(57)【要約】【課題】ハンダ処理において、フラックスの塗布工程の不要なヤニ入り帯板ハンダを提供すること。【解決手段】所要偏平幅、所要厚、所要長のハンダ材から成る帯板本体１において、偏平面の少なくとも一面で長手方向に沿って、断続的にヤニ融出部２を配列する。  このほか、前記ヤニ融出部２を帯板本体１の幅方向の少なくとも一端縁で長手方向に沿って、断続的に配列する。【選択図】  図１
2008302381.tif 000002
【特許請求の範囲】
【請求項１】
所要偏平幅、所要厚、所要長のハンダ材から成る帯板本体において、
偏平面の少なくとも一面で長手方向に沿って、断続的にヤニ融出部を配列して成るヤニ入り帯板ハンダ。
【請求項２】
前記ヤニ融出部が、帯板本体の幅方向の少なくとも一端縁で長手方向に沿って、断続的に配列されて成る請求項１記載のヤニ入り帯板ハンダ。
【発明の詳細な説明】
【技術分野】
【０００１】
本発明は、主として電気製品の開閉機構部における基板相互の端子接続に用いるハンダに関する。
【背景技術】
【０００２】
従来から携帯電話機やデジタルカメラ、パーソナルコンピュータなどの開閉機構部での接続端子の配設された基板相互を接続するために使用されるハンダは、偏平状のものであるが、フラックスを塗布する塗布工程や前処理が要されるため、ハンダ処理コストがかさむものであった。
そこで、本出願人に関わる先の発明（特許文献１）を鋭意工夫することにより、ヤニを噴出させることがなく酸化させることもない偏平化したハンダを完成したものである。
すなわち、芯部にヤニ層を形成した線状のヤニ入りハンダに、凹溝状のヤニ溜りを形成しないで偏平に成形したヤニ入り帯板ハンダでは、ハンダ処理時の破裂現象によりハンダボールが飛散し、周辺に悪影響を与えることになる。これに対してヤニ溜りを形成した線状のヤニ入りハンダを偏平状に成形した場合には、ハンダ処理時にヤニ溜りが変形したヤニ融出部の薄いハンダ被膜の融解で破裂現象が発現せず、ハンダボールを飛散させないものである。
【特許文献１】特許第２７０６７１２号
【発明の開示】
【発明が解決しようとする課題】
【０００３】
本発明は、フラックスの塗布工程の不要なハンダ処理に用いるヤニ入り帯板ハンダを提供する。
【課題を解決するための手段】
【０００４】
本発明の請求項１に記載したヤニ入り帯板ハンダは、所要偏平幅、所要厚、所要長のハンダ材から成る帯板本体において、
偏平面の少なくとも一面で長手方向に沿って、断続的にヤニ融出部を配列して成る。
請求項２に記載したヤニ入り帯板ハンダは、請求項１に記載したヤニ入り帯板ハンダにおいて、前記ヤニ融出部が、帯板本体の幅方向の少なくとも一端縁で長手方向に沿って、断続的に配列されて成る。
【発明の効果】
【０００５】
本発明によれば、各種電気製品の開閉機構部における基板相互の端子接続において、溶着部へのフラックスの塗布工程が不要となってハンダ処理コストの大幅な削減が達成される。
【発明を実施するための最良の形態】
【０００６】
ヤニ入り帯板ハンダにおけるヤニ融出部の配列に関しては、偏平面の一面や両面、或いは幅方向の一端縁や両端縁などであり、また、偏平処理前のヤニ溜りを形成する凹溝は、直線と円弧による側面視四半円分のものから、二等辺のＶ形形状のものなどである。
【実施例】
【０００７】
本発明を実施例により説明すると、図１に示すように、所要偏平幅、所要厚、所要長の非鉛系ハンダ材（Sn、Ag、Cu配合）から成る帯板本体１の偏平面の一面中央（中央に限定するものではない）に、長手方向に沿って断続的にヤニ融出部２が配列されて成る。
このヤニ融出部２は図２（ａ）に示すように、芯材としてのヤニ層３に薄いハンダ被膜４を介して連通される。このほか、ヤニ融出部２は図２（ｂ）に示すように、偏平面の両面に設けられたり、幅方向の一端縁や両端縁（図外）にも設けられる。
【０００８】
このようにして成るヤニ入り帯板ハンダＡは、図３に示すように、長尺、所要線径のヤニ入りハンダワイヤ５に、回転刃の刃先の押込み（図外）により、直線と円弧による側面視四半円分の凹溝から成るヤニ溜り６を形成し、この状態のヤニ入りハンダワイヤ５を上下から圧延ローラー７、７で圧延して成形される。帯板成形の偏平処理に関しては、ヤニ層が噴出しないように圧力と回転速度、温度等が制御される圧延ローラー７によるほか、プレスによって成形することもできる。
したがって、図４に示すように、各種電気製品の開閉機構部の基板実装においては、上基板８と下基板９の端子接合部にヤニ入り帯板ハンダＡが挟持され、加熱溶融によって両基板８、９は極めて簡単に、かつ、ハンダボールなどの発生もなくハンダ付けされる。
携帯電話機やデジタルカメラ、ノート型パーソナルコンピュータなどの開閉機構部は膨大な数にのぼり、ハンダ処理におけるフラックスの塗布工程の解消によるコスト削減は、甚大な経済効果をもたらすこととなる。
なお、ヤニ入りハンダワイヤ５に形成されるヤニ溜り６としての凹溝は、前記の側面視四半円分の形状によるもののほか、図５に示すように、二等辺のＶ形形状でも形成される。そして、これらの凹溝は回転刃の刃先の押込み（図外）によって形成されるが、その際の押込みによって溢れるハンダ材は凹溝の周縁に盛り上がり１０となって突出するが、線形の状態ではその盛り上がり１０によって巻取り径が増径となるが、偏平処理によってその盛り上がり１０が偏平化され巻取り径に影響を与えることがない。
このほか、ヤニ融出部２が帯板本体１の偏平面の一端縁に設けられたヤニ入り帯板ハンダＡでは、基板実装時には二本のヤニ入り帯板ハンダＡ、Ａを相互にヤニ融出部２が千鳥状に対向するように溶着部に設置して溶着に供されることも可とする。この例（図外）では、二本合わせの中央からそれぞれ左右にヤニが融出して良好な溶着が得られるのである。
【産業上の利用可能性】
【０００９】
本発明のヤニ入り帯板ハンダは、電気製品製造業において、ハンダ処理コストの大幅な削減を図り、量産コストの低減に大いに貢献する。
【図面の簡単な説明】
【００１０】
【図１】本発明に係わるヤニ入り帯板ハンダＡの拡大部分斜視図。
【図２】図１の幅方向の断面を示す説明図で、（ａ）は偏平面の一面にヤニ融出部２を設けた拡大断面図であり、（ｂ）は偏平面の両面にヤニ融出部２を設けた拡大断面図である。
【図３】ヤニ入りハンダワイヤ５からヤニ入り帯板ハンダＡを成形する説明図。
【図４】開閉機構部での基板実装の説明図。
【図５】ヤニ入りハンダワイヤ５におけるヤニ溜り６の他の形状を示す説明図。
【符号の説明】
【００１１】
１：帯板本体
２：ヤニ融出部
３：ヤニ層
４：ハンダ被膜
５：ヤニ入りハンダワイヤ
６：ヤニ溜り
７：圧延ローラー
８：上基板
９：下基板
１０：盛り上がり
Ａ：ヤニ入り帯板ハンダ
【図１】
2008302381.tif 000003
【図２】
2008302381.tif 000004
【図３】
2008302381.tif 000005
【図４】
2008302381.tif 000006
【図５】
2008302381.tif 000007
(57)【要約】【課題】粳米粉を混入した独自の食感・風味を備えた新規なうどんを提供する。【解決手段】９０〜８０％重量部の小麦粉と、１０〜２０％重量部の粳米粉（マセレイティング酵素処理した微細米粉等）を混合し、適量の塩及びゼリー状の布海苔を加えて混練した麺生地を、常法とおり麺線として製出してなるもので、通常とおり茹でると、小麦粉と澱粉を混合して麺とした冷麺に近い、ツルツルで、且つしっかりとしたコシが感じられる独自の食感・風味を備えた麺となる。【選択図】なし【特許請求の範囲】
【請求項１】
９０〜８０％重量部の小麦粉と、１０〜２０％重量部の粳米粉を混合し、適量の塩及びゼリー状の布海苔を加えて混練した麺生地を、常法とおり麺線としてなることを特徴とするうどんの製造方法。
【請求項２】
粳米粉を、マセレイティング酵素処理した微細米粉を使用してなる請求項１記載のうどんの製造方法。
【請求項３】
９０〜８０％重量部の小麦粉と、１０〜２０％重量部の粳米粉と、適量の塩と、及びゼリー状の布海苔を原材料として製出したことを特徴とするうどん。
【発明の詳細な説明】
【技術分野】
【０００１】
本発明は、小麦粉に粳米粉を混入させたうどん及びその製造方法に関するものである。
【背景技術】
【０００２】
小麦粉に米粉を混入してうどんを製造する手段として、特許文献１（特開平７−１８４５７４号公報）に、８０〜９５％重量部の小麦粉に２０〜５％重量部の餅米粉または餅米澱粉を混合し、混合粉体に加水し、加水後ミキシングして麺生地とする手法が開示されている。この餅米粉の混入は、半茹で状態で市場に流通させて、家庭での再ボイル時に通常の茹でたてと同様の食感をえることを目的としたものである。
【０００３】
また特許文献２（特開平９−５６３４８号公報）には、小麦粉に対して０．２〜０．８％の粉末青海苔と粉末あま海苔を混入して製麺することが開示されており、海苔風味及びミネラル成分を備えたうどんの提供を目的としているものである。
【０００４】
また新潟県魚沼地方の蕎麦は、布海苔をつなぎとして使用していることが広く知られている。
【０００５】
【特許文献１】特開平７−１８４５７４号公報。
【特許文献２】特開平９−５６３４８号公報。
【発明の開示】
【発明が解決しようとする課題】
【０００６】
新規な風味のうどんを開発するため、機械粉砕の粳米粉や、特公平７−１００００２号公報に開示されているマセレイティング酵素処理した微細粒米粉や、特開平６−２１７７１９号公報に開示されている乳酸発酵処理米粉のような粳米粉を、粳米粉の混入による独自の風味・食感を得るための分量で混入したところ、加水して混練しても充分な粘性を備えることなく纏まり難く、麺生地とすることは困難であった。
【０００７】
そこで本発明は、布海苔をつなぎに採用すると、粳米粉を利用できることを見出し、新規な風味のうどんを提案したものである。
【課題を解決するための手段】
【０００８】
本発明に係るうどん及びその製造方法は、９０〜８０％重量部の小麦粉と、１０〜２０％重量部の粳米粉を混合し、適量の塩及びゼリー状の布海苔を加えて混練した麺生地を、常法とおり麺線として製出してなることを特徴とするものである。
【０００９】
前記のうどん（生めん）を通常通り茹でると、小麦粉と澱粉を混合して麺とした冷麺に近い、ツルツルで、且つしっかりとしたコシが感じられる独自の食感・風味を備えた麺となる。
【発明の効果】
【００１０】
本発明は上記の通り、小麦粉に粳米粉を混入して麺に製出したことで、独特のコシを備えたツルツルの食感と、米の風味を備えたうどんを得ることができたものである。
【発明を実施するための最良の形態】
【００１１】
次に本発明の実施の形態について説明する。うどんの製造手法は基本的に従前の製造手段と同様に、粉に加塩加水してミキシング（混練）し、圧延して麺線状に切断するもので、特に本発明は、粉として小麦粉と粳米粉を使用するものである。
【００１２】
小麦粉は一般の中力粉で、９０〜８０％重量部（８５％が最適であった）で、粳米粉はマセレイティング酵素処理した微細粒米粉を使用し、１０〜２０％重量部とする。
【００１３】
粳米粉を１０％重量部以下とすると、粳米の風味食感が生きなかったし、また２０％重量部以上にすると、米の味が勝ちすぎてしまい、ポソポソ感（コシが無い感じ）が生じてしまう。
【００１４】
前記の混合粉に、ゼリー状の布海苔を適宜量（混合した全体の水分量が４０〜５０％となる程度）を加えて混練して麺生地とするもので、ゼリー状の布海苔に塩分が加わっていれば、足りない分の塩を加えて、全体の塩分が適宜量（粉全体の４％程度）となるように調整する。そしてこれらを混合し、練り上げで麺生地とする。
【００１５】
前記麺生地は、圧延し麺線に切断してうどん（生めん）とするもので、麺線とするに際して、麺線の太さは、所謂モチモチ感を有する太い麺ではなく、幅５ｍｍ厚さ１〜２ｍｍ程度の蕎麦のような太さとするものである。
【００１６】
而して前記うどん（生うどん）は、通常とおり茹でて食するもので、細麺であるので、湯で時間は２分前後で充分で、茹でられたうどんは、冷麺に近いツルツルで且つしっかりとしたコシが感じられる独自の食感・風味を有していた。
【００１７】
尚前記の実施形態にマセレイティング酵素処理した微細粒米粉を使用したが、その他の粳米粉であっても、ゼリー状の布海苔を加えて練り上げることで、充分に麺線として仕上げることができ、相応食感を有するものである。
【００１８】
また前記の生うどんは、所定の乾燥を施し、乾麺としても良い。
(57)【要約】【課題】保温時に浴槽内の湯の温度差を低減し、湯全体が常に快適は温度を保持するようにした風呂の湯保温構造を提供する。【解決手段】風呂釜１と浴槽２を循環配管３，４にて接続した風呂において、浴槽２の周囲の壁内に温水配管５を内蔵し、温水配管５の入口側を温水供給側の循環配管３に接続し、温水配管５の出口側を温水戻し側の循環配管４に接続し、この両接続部にソレノイドバルブ６，７を設置し、温水配管５の入口側接続部のソレノイドバルブ６より下流の管路にポンプ８を配置し、ソレノイドバルブ６，７及びポンプ８を風呂釜１のスイッチ９と連動させた。【選択図】図１
2008237629.tif 000002
【特許請求の範囲】
【請求項１】
風呂釜と浴槽を循環配管にて接続した風呂において、前記浴槽周囲の壁内に温水配管を内蔵し、この温水配管の入口側を温水供給側の循環配管に接続し、前記温水配管の出口側を温水戻し側の循環配管に接続し、この両接続部にソレノイドバルブを設置し、前記温水配管の入口側接続部のソレノイドバルブより下流の管路にポンプを配置し、前記ソレノイドバルブ及びポンプを風呂釜のスイッチと連動させたことを特徴とする風呂の湯保温構造。
【発明の詳細な説明】
【技術分野】
【０００１】
本発明は、浴槽温水を保温するための風呂の湯保温構造に関するものである。
【背景技術】
【０００２】
従来、浴槽の湯を保温または追い炊きする風呂釜の構造としては、図３で示すように、風呂釜１０と浴槽２０を温水供給側の循環配管３０及び温水戻し側の循環配管４０にて接続し、この循環配管３０、４０に風呂釜１０のスイッチ（図示省略）と連動して開閉するバルブ９０が設けられた構成のものが提供されている。このものは、風呂釜１０にて水を加熱した際に生じる比重差を利用した自然対流のみで加温するシステムが一般的である。      
【０００３】
しかし、保温または追い炊き時には比重の軽い熱い湯が上層部に滞留し、浴槽２０の上下層に大きな温度差を生じる。また、風呂釜１０での加熱を停止した際には、風呂釜１０と浴槽２０とを接続した循環配管３０、４０により、浴槽２０内の湯が風呂釜１０で外気によって冷やされ、加温時とは逆の対流を起こすことにより湯温の低下を早めてしまうという問題を有していた。
【特許文献１】特開平０８−２３３３５７公報
【特許文献２】特開平１１−１９３９５６公報
【発明の開示】
【発明が解決しようとする課題】
【０００４】
本発明の目的は、保温時に浴槽内の湯の温度差を低減し、湯全体が常に快適は温度を保持するようにした風呂の湯保温構造を提供することである。
【課題を解決するための手段】
【０００５】
本発明は、この目的を達成するために、請求項１に記載の通り、風呂釜と浴槽を循環配管にて接続した風呂において、前記浴槽周囲の壁内に温水配管を内蔵し、この温水配管の入口側を温水供給側の循環配管に接続し、前記温水配管の出口側を温水戻し側の循環配管に接続し、この両接続部にソレノイドバルブを設置し、前記温水配管の入口側接続部のソレノイドバルブより下流の管路にポンプを配置し、前記ソレノイドバルブ及びポンプを風呂釜のスイッチと連動させたことを特徴とするものである。
【発明の効果】
【０００６】
本発明によれば、風呂釜停止時の湯温低下を抑制、保温時に発生する浴槽上下層部の温度差の低減及び追い炊き時には下層部からも加熱されるため効率的に湯沸かしを可能とする効果を有している。
【発明を実施するための最良の形態】
【０００７】
以下本発明を実施するための最良の形態について図面に基づいて説明する。図１において、１は風呂釜であり、２は浴槽である。この風呂釜１と浴槽２は温水供給側の循環配管３及び温水戻し側の循環配管４にて接続されている。
【０００８】
本発明は、図２で示すように、前記浴槽２の周囲の壁内に、例えばステンレスの温水配管５を内蔵し、この温水配管５の入口側を温水供給側の循環配管３に接続し、温水配管５の出口側を温水戻し側の循環配管４に接続する。
【０００９】
前記温水配管５の入口側と温水供給側の循環配管３との接続部にソレノイドバルブ６を設置し、前記温水配管５の出口側と温水戻し側の循環配管４との接続部にソレノイドバルブ７を設置する。
【００１０】
さらに、前記温水配管５の入口側接続部のソレノイドバルブ６より下流の管路にポンプを８配置し、前記ソレノイドバルブ６、７及びポンプ８を風呂釜１のスイッチ９と連動させた構成である。
【００１１】
本発明は上記の通りの構造であるから、ソレノイドバルブ６、７の動作により、目的に応じて風呂釜１からの循環配管３，４の経路を遮断若しくは温水配管５の経路を切り替えることにより、湯の温度差をより快適に制御することができる。
【００１２】
すなわち、浴槽２の周囲の壁内に設けた温水配管５により風呂釜１と浴槽２内の湯の対流によって浴槽２全体（特に下部）からの加温が可能となる。
【００１３】
また、風呂釜１の停止時には循環配管３，４の経路を遮断し、保温時には温水配管５の経路に切り替え、追い炊きする時には循環配管３，４の経路と温水配管５の経路を併用する。
【００１４】
これにより、本発明では、風呂釜停止時の湯温低下を抑制、保温時に発生する浴槽上下層部の温度差の低減及び追い炊き時には下層部からも加熱されるため効率的に湯沸かしを可能とする利点を有している。
【図面の簡単な説明】
【００１５】
【図１】本発明の構造図
【図２】本発明による浴槽の断面斜視図
【図３】従来の構造図
【符号の説明】
【００１６】
１       風呂釜
２       浴槽
３       循環配管
４       循環配管
５       温水配管
６       ソレノイドバルブ
７       ソレノイドバルブ
８       ポンプ
９       スイッチ
【図１】
2008237629.tif 000003
【図２】
2008237629.tif 000004
【図３】
2008237629.tif 000005
(57)【要約】【課題】専用の銃型コントローラーを使用しないガンシューティーングゲームを提供すること。【解決手段】ディスプレイ装置の画面前面に一定の距離を置いて直角に交わる多数の縦線と横線からなる方眼の網の目が表示し、テンキーでＸ座標、Ｙ座標の数字入力をして射撃する。【選択図】図２
2008237666.tif 000002
【特許請求の範囲】
【請求項１】
ディスプレイ装置の画面上に表示される標的をテンキーによる数字入力によって射撃することを特徴とするガンシューティングゲーム装置。
【請求項２】
前記ディスプレイ装置の画面の前面には、一定の距離を置いて直角に交わる多数の縦線と横線からなる方眼の網の目が表示されていることを特徴とする請求項１記載のガンシューティングゲーム装置。
【請求項３】
前記射撃は、画面前面の網の目のＸ座標、Ｙ座標の数字入力によることを特徴とする請求項１又は請求項２記載のガンシューティングゲーム装置。
【発明の詳細な説明】
【技術分野】
【０００１】
この発明は、ガンシューティングゲーム装置に関する。
【背景技術】
【０００２】
従来のガンシューティングゲーム装置では、ディスプレイ装置の画面上に表示される標的に向けて銃型コントローラーの引き金スイッチを押して射撃をしていた。家庭用ゲーム機においては本体付属のコントローラーは使えず、専用のコントローラーに付け替えなければならなかった。 
【特許文献１】特開２００６−３４６００１
【発明の開示】
【発明が解決しようとする課題】
【０００３】
以上の技術によれば、ガンシューティングをするには専用のコントローラーが必要であり、専用コントローラーはガンシューティングゲームでのみしか使用できなかった。そこで、この発明は、ガンシューティングゲーム以外のゲームにも使用できるコントローラーで楽しめるゲーム内容を提供することを課題とする。
【課題を解決するための手段】
【０００４】
以上の課題を解決するために、本発明のガンシューティングゲーム装置は、ディスプレイ装置の画面前面に一定の距離を置いて直角に交わる多数の縦線と横線からなる方眼の網の目が表示し、テンキーでＸ座標、Ｙ座標の数字入力をして射撃することを特徴とする。
【発明の効果】
【０００５】
本発明のガンシューティングゲーム装置によれば、専用のコントローラーでなくてもガンシューティングゲームが楽しめる。
【発明を実施するための最良の形態】
【０００６】
以下、本発明の実施形態を図面を参照しながら説明する。
【０００７】
図１にはテンキーの正面図が示され、図２にはガンシューティングゲームを行う時のディスプレイ装置の画面表示例が示されている。
【０００８】
本発明における入力装置は図１のような１から９までと０の数字入力が可能なテンキーである。テンキーの打ち方は電卓の打ち方と同じである。右手で入力する場合は１，４，７は人差し指で２，５，８は中指、３，６，９は薬指を使う。５のところにある小突起物を中指の触覚で感知する。小突起物はコンピューターのキーボードのＦとＪに設けられているものと同じ役割を果たし、そこが基準点となる。よって、５に中指を置けば、自然と４には人差し指が、６には薬指というホームポジションが自然と出来上がる。そして、４，５，６のホームポジションを基準に、７，８，９を押すには指を上にスライドさせ、１，２，３は下にスライドさせる。その他のキーは人それぞれである。
【０００９】
本発明のガンシューティングゲームはテンキーのブランドタッチができなければ有意義には楽しめない。なぜなら、入力の都度、手元を見ていたのでは次々に出現する標的のスピードに対応できないからである。しかし、テンキーのブラインドタッチはキーボードのブラインドタッチよりも短時間でマスター可能である。
【００１０】
図２のディスプレイ装置のゲーム画面には、背景や動く標的の前面に、一定の距離を置
いて直角に交わる多数の縦線と横線からなる方眼の網の目を透かし表示する。横線をＸ軸、縦線をＹ軸として、画面左下は（Ｘ座標，Ｙ座標）＝（０，０）とする。
【００１１】
図２の画面左の標的を射撃する場合、例えばＡ点に向けて弾を飛ばそうとする。Ａ点は左から３個目、下から１２個目で（Ｘ座標，Ｙ座標）＝（３，１２）なので、『０３１２』とテンキーで入力する。するとそこ向かって弾が飛んで、標的を倒す。仮に、標的外の座標の数字を入力した場合、例えばＢ点の座標（７，１４）の数字『０７１４』を入力したとしても、弾は標的には当たらず、敵は倒れない。図３は以上のことをフローチャートにしたものである。
【００１２】
瞬時に座標の読み取る能力も多少の訓練が必要であるが、図２のように基準となる軸には目立つ線や色を変えたり、例えば５の倍数の座標には点を打つなどすればわかりやすくなる。また５マス目ごとに色を変えることなども考えられる。
【図面の簡単な説明】
【００１３】
【図１】本実施形態に係わるテンキーの正面図である。
【図２】ガンシューティングゲームを行う時のディスプレイ装置の画面表示例。
【図３】着弾決定処理を示すフローチャート。
【図１】
2008237666.tif 000003
【図２】
2008237666.tif 000004
【図３】
2008237666.tif 000005
(57)【要約】      （修正有）【課題】従来の苗床による育苗及び成育方式は、苗床の準備作業に人手と時間を要し又温度ムラが在りその管理といった労力が必要である。石油等を使用する方式はＣＯ２に因る環境汚染があり、積雪地帯で行っている路面の融雪方法は非効率的である。【解決手段】電力カーボンヒーター５を、発熱が下方に行かないよう構造化したものに一体化し（ＶＰ長尺箱１の内側に防炎シート材２、断熱用材３を入れ、これを防炎シート２で包み上部をマジックテープで止める。その上に不燃材４、絶縁テープで止めた発熱カーボンヒーター５、さらに防炎シート材６を重ねその上から熱伝導ステンレス板７で囲う。それをＶＰ長尺箱１と一体化しビス止めする。）、苗床に埋設し手元の電圧調節器により発熱体の温度を自由に調整する。この一体化した電力温度調整システムを道路面下に埋設し、路面を温め積雪、凍結を防ぐことができる。【選択図】図１
2008237199.tif 000002
【特許請求の範囲】
【請求項１】
苗床の温度ムラを無くし熱効率が良く作業が簡単で環境保全になる電力式苗床温度調整システム。
および、積雪地帯の路面を融雪する電力式融雪システム。
【発明の詳細な説明】
【技術分野】
【０００１】本発明は、苗床に種を蒔き発芽し定植までの育苗に又成育し収穫までに必要な適正温度管理を、苗床に埋設した電力発熱体により熱伝導板を通じて適正温度を調節することができる。
および、道路面の下に埋設することにより電力発熱体より熱伝導板を通じ路面を温め積雪を防ぎ、凍結を防ぐことができる。
【背景技術】
【０００２】
【発明の開示】
【発明が解決しようとする課題】
【０００３】従来の育苗及び成育方式は、苗床の準備作業に人手と時間を要し又温度ムラが在りその管理といった労力が必要である。又石油等を使用する方式はＣＯ２に因る環境汚染の課題がある。
また、積雪地帯で行っている路面の融雪方法は非効率的である。
【課題を解決するための手段】
【０００４】本発明は、発熱体である電力カーボンヒーターを、使用熱が下方に行かないよう構造化したものに一体化し、それを苗床に埋設することにより温度調整操作が可能となる。これにより作業が簡単で温度ムラがなくなり熱効率も良く環境保全も可能となる。
また、上記一体化したものを道路面の下に埋設すれば電力発熱体より熱伝導板を通じ路面が温かくなり熱効率も良く省エネで融雪できる。
【発明の効果】
【０００５】本発明により、苗床の作業が簡単になりエネルギーの省力化、環境の保全化となる。
また、路面の積雪及び凍結の防止が省エネで可能となる。
【図面の簡単な説明】
【０００６】
【図１】電力式苗床温度調整システム及び電力式融雪システムの構造に関する概観図である。
【符号の説明】
【０００７】    ▲１▼  ＶＰ長尺箱
▲２▼  防炎シート材
▲３▼  断熱用材
▲４▼  不燃材
▲５▼  発熱カーボンヒーター
▲６▼  防炎シート材
▲７▼  熱伝導ステンレス板
【図１】
2008237199.tif 000003
(57)【要約】【課題】  消費者の多様なニーズに合わせたバラエテイーに富んだカレー味を、いぶり大根の漬物の独特な風味、歯ざわり、香りを損ねずにその長所を生かしたまま付加し、消費者が手軽に食することができると共に、無化学肥料、無添加の安心、安全、からだに優しい漬物として提供する。【解決手段】  いぶり大根の漬物を細かく切り、複数回にわたり水に浸し、ある程度の濃い味、塩を抜き、その後、余分な水分を抜き、醤油、砂糖、香辛料（カレー粉）を組み合わせた調味液に、低温に保持した室内において数日間漬け込むことにより、カレー味のいぶり大根の漬物を創出する。【特許請求の範囲】
【請求項１】
いぶり大根の漬物を主材料とし、該いぶり大根の漬物を醤油、砂糖、香辛料（カレー粉）を組み合わせてなる調味液に３〜１２日間漬け込み、該いぶり大根の漬物の独特な風味、歯ざわり、香りを損ねず長所を生かし、塩分濃度を３％〜２５％としてなることを特徴とするカレー味のいぶり大根の漬物。
【請求項２】
削除する。
【発明の詳細な説明】
【技術分野】
【０００１】  本発明はいぶり大根の漬物を主材料にした、いぶり大根カレー味の漬物に関するものである。
【背景技術】
【０００２】  従来、いぶり大根の漬物としては有名であるが、このいぶり大根の漬物を使用してカレー味の漬物にするということは今までに存在していない。
【発明の開示】
【発明が解決しようとする課題】
【０００３】  そこで発明者はいぶり大根の漬物をカレー味の調味液に漬け込んで、現在、食社会で求められているからだに優しい漬物を提供することに着想した。即ち、いぶり大根の漬物に無添加の調味料を組み合わせてカレー味にし、安心、安全、からだに優しい漬物として提供することを目的とするものである。
【課題を解決するための手段】
【０００４】  いぶり大根の漬物を主原料とし、該いぶり大根の独特な風味、歯ざわり、香りを損ねずその長所を生かして、醤油、砂糖、香辛料（カレー粉）を組み合わせてなる調味料に漬け込み、更に低温の室内で数日間寝かせて作ることを特徴とするカレー味のいぶり大根の漬物である。【０００５】  この発明で使用するいぶり大根の漬物とは、無化学肥料（有機微生物栽培）で作った大根を、同じく無化学肥料で作った秋田こまちの米ぬか、または米麹を使い、昔ながらの製法で手間ひまかけて、じっくり漬け込んだ無化学肥料のいぶり大根の漬物であり、その一般的な製法は大根を藁で編んだ縄に固定し天井から吊るし、下から薪等を焚いてその煙で薫製にさせ、塩と米ぬか、又は米麹で最低５０日以上漬け込んでなる漬物を言う。【０００６】  また、この発明で使用するカレー粉とは、黒こしょう、赤唐辛子、ターメリック、クミン、などを混ぜた香辛料の粉末で、一般に市販されているものが好適である。【０００７】  本発明により、無化学肥料で栽培したいぶり大根の漬物をもとに適応力向上、抗菌活性、血液循環促進、食欲調整の働きを持つと言われているカレー粉と組み合わせた新しい漬物を完成させることができる。
【発明の効果】
【０００８】  香辛料（カレー粉）を用いることにより、現社会においての環境によるストレス、暑さ、寒さに対しての抵抗力、腸内の細菌感染に対する抵抗力がつくと言われており、本発明のいぶり大根のカレー味の漬物はその製造工程の３〜１２回にわたる水さらしにより漬物特有の塩分を３％〜２５％に減らすことができ、食することによって新陳代謝を高め、血液循環を促進することができる新しい漬物が提供できる。
【発明を実施するための最良の形態】
【０００９】  以下、本発明の実施の形態を実施例に基づいて説明する。
【実施例】
【００１０】  まず、いぶり大根の漬物を縦４分の１の大きさに切り、それを２ｍｍ〜３ｍｍの厚さの扇形に切る。それをボウルなど容器に入れて、該容器に満水状態になるよう水を張り、２時間〜１０時間間隔で容器に張った水を３〜１２回取り替えることを繰り返す。この工程でいぶり大根の漬物から塩分を減らすことになる。この後、ザルなどの容器に移し替え３〜２４時間をかけて余分な水を切り適当な乾燥度を得る。この工程の結果塩分濃度は３％〜２５％に減塩される。【００１１】  次に、醤油１〜２ｌに対して砂糖５００ｇ〜２ｋｇの割合で混合して調味液とし、沸騰寸前まで加熱して火を止め該調味液が熱いうちに、水切りして適当な乾燥度となっているいぶり大根の漬物３〜８ｋｇを投入し、全体によく混ぜ合わせ、２０〜６０分間ほど放置状態とする。その後、カレー粉５０ｇ〜２００ｇを該容器内の調味液に加え、さらによく混ぜ合わせる。その後、重石をのせ低温状態の室内で３〜１２日間漬け込む。この工程を経ることにより本発明の目的物であるいぶり大根のカレー味の漬物を得ることができる。【００１２】  以上のようにして製造されたいぶり大根のカレー味の漬物は、調味液と共にポリエチレン袋に真空パックして袋ごと常温から８０℃まで昇温煮沸し、この設定温度を保ちながら１５分ほど経過させると殺菌が完了する。これにより、保存料を使用しなくても細菌などの殺菌が行われ、衛生的な商品を得ることができる。【００１３】  本発明は以上のように構成したもので、消費者の多様なニーズに合わせたバラエテイーに富んだカレー味を、いぶり大根の漬物の独特な風味、歯ざわり、香りを損ねずその長所を生かしたまま付加したことにより、消費者が手軽に食することができると共に無化学肥料、無添加の安心、安全、からだに優しい漬物として提供することができる。
(57)【要約】【課題】  インフルエンザ等のウィルスの感染を防ぐ手段としてマスクの着用は不可欠であるが、顎に引っかけて正しく装着していない人が実に多い。之ではウィルスの侵入を防ぐことは出来ない。  そこで、簡単な目安を作って誰にでも、楽しく正しく装着する方法を普及させる必要がある。【解決手段】（イ）  マスクの横襞（１）の内側面（２）と、横襞（１）の隠れている下側面（３）に、予め、絵柄（４）を施す。（ロ）  マスクを顎に引っかけて正しく装着すると、横襞（１）が、伸びて開いた状態になるので、内側面（２）と下側面（３）に施されている絵柄（４）が現れる。（イ）（ロ）からなるマスクによって、襞（１）に隠れている部分の絵柄（４）が全部見えるようになるのが正しい着用状態なので、誰にも分かり易く普及し易い。【選択図】図２
2008237850.tif 000002
【特許請求の範囲】
【請求項１】
（イ）  マスクの横襞（１）の内側面（２）と、横襞（１）のかくれている下側面（３）に、予め、絵柄（４）を施す。
（ロ）  マスクを顎に引っかけて正しく装着すると、横襞（１）が、伸びて開いた状態になるので、内側面（２）と下側面（３）に施されている絵柄（４）が現れる。
上記、（イ）（ロ）から成るマスク。
【発明の詳細な説明】
【技術分野】
【０００１】  本発明はマスクの正しい装着に関するものである。
【技術背景】
【０００２】  従来のマスクは無地が殆んどであり、表面の隅に絵柄を入れたり、或は生地全体に模様を施して、美装を目的としたものでである。
従って、横襞もウィルスの侵入を防ぐために生地を重ねているものと勘違いして、顎に引っかけないまま使用している人が実に多い。
これではウィルスの侵入を防ぐことが出来ない。
【発明の開示】
【発明が解決しようとする課題】
【０００３】  正しいマスクの装着方法を普及させて、鳥から人、人から人へ感染する新型インフルエンザ等の早期封じ込めや蔓延を防止しようとするものである。
【課題を解決しようとする課題】
【０００４】  正しいマスクの装着方法を普及させるために、誰にでも分かり易く、尚且、楽しい目安を作ろうとするものである。
【発明の効果】
【０００５】  顎に引っかけて装着すると、マスクの襞（１）の内側面（２）と下側面（３）に隠されている絵柄（４）が出現するので、楽しくもあり、分かり易く、正しい装着方法が容易に普及するものと考える。
従って、家庭内でも外部でもウィルスの拡散や吸引を防止出来る。
【発明を実施するための最良の形態】
【０００６】（イ）  マスクの横襞（１）の内側面（２）と、横襞（１）のかくれている下側面（３）に、予め、絵柄（４）を施す。
（ロ）  マスクを顎に引っかけて正しく装着すると、横襞（１）が、伸びて開いた状態になるので、内側面（２）と下側面（３）に施されている絵柄（４）が現れる。
（イ）（ロ）から成るマスクによって、襞（１）に隠れている部分の絵柄（４）が全部見えるようになるのが正しい着用状態なので、誰にも分かり易く普及し易い。
【実施例１】
【０００７】  松山市の道後温泉病院では、２００２年に院内でインフルエンザが大流行した際、全職員、入院患者、外来患者、面会人、出入業者等全員にマスクの装着を徹底させる事によって早期にインフルエンザの途絶に成功している。
その後、インフルエンザ流行期にはマスクの正しい装着を全員に徹底させることによって、２００３年は０人、２００４年は１人、２００５年は１人、２００６年は１人の発症に押さえ、蔓延の防止に成功している。
之は日本環境感染学会誌に論文として発表しているが、正しいマスクの装着が如何に大切であるかと言う証明になると考える。
マスクの絵柄（４）を施す所に、とりあえずキャラクターシールを貼って装着させると、出現したキャラクターシールの絵柄を見て、誰もが楽しそうになるだけでなく、顎に引っかけるマスクの正しい装着方法に気づいて頂いた。
【産業上の利用可能性】
【０００８】  ２００７年２月２４日の読売新聞夕刊によると国立感染症研究所の試算では人口密集地の首都圏で、新型インフルエンザが発生した場合、最初の患者の診断が確定した時には感染者が首都圏全域で約３０００人に広がっており、１０日間で１２万人を突破すると試算されている。『うがいと手洗いの励行』をＴＶなどで呼びかけているが、それだけでは不充分であり『正しいマスクの着用』こそが唯一、感染を防ぐ手取り早い手段とされている。
【図面の簡単な説明】
【０００９】
【図１】マスクの平面図
【図２】マスクの装着時の正面図
【符号の説明】
【００１０】１．  マスクの襞
２．  マスクの襞の内側面
３．  マスクの襞の下側面
４．  マスクの絵柄
【図１】
2008237850.tif 000003
【図２】
2008237850.tif 000004
(57)【要約】【課題】  本発明は、卓上に置いても邪魔にならない小型の吸引掃除機を提供する。【解決手段】  吸引掃除機において、本体の機内を通過する空気の流れを、ファンより直接横へ排気させることで、機構を省略と縮小させ、底電圧の電池とモーターを使用し、取手を除去して小型にしたことを特徴とした卓上掃除機。【選択図】図１
2008237849.tif 000002
【特許請求の範囲】
【請求項１】
吸引掃除機において、本体の機内を通過する空気の流れを、ファンより直接横へ排気させることで、機構を省略と縮小させ、底電圧の電池とモーターを使用し、取手を除去して小型にしたことを特徴とした卓上掃除機。
【発明の詳細な説明】
【技術分野】
【０００１】  本発明は、卓上に置いても邪魔にならない小型の吸引掃除機に関するものである。
【背景技術】
【０００２】  従来、屋内、室内でゴミ掃除するのに、通常の掃除機を取り出すまでにないが、手では取れない不便な面があった。
【発明の開示】
【発明が解決しようとする開示】
【０００３】  従来、屋内、室内でゴミ掃除するのに、通常の掃除機を取り出すまでにないが、手では取れない不便な面があった。
本発明は、小型かつ軽量で使い勝手が良く、従来より小型化した掃除機を提供することを目的とするものである。
【課題を解決するための手段】
【０００４】  吸引掃除機において、本体の機内を通過する空気の流れを、ファンより直接横へ排気させることで、機構を省略と縮小させ、底電圧の電池とモーターを使用し、取手を除去して小型にしたことを特徴とした卓上掃除機。
【発明の効果】
【０００５】  吸引掃除機は並列で、吸い口、フィルター、ファン、モーター、排気口となっていて、機内を空気が通過する理由は、ゴミの吸引とモーターの発熱の冷却にある。
冷却の部分が大きなスペース場所を所有しているので、この部分を除去するために、発熱しない空冷の必要がない底電圧の電池とモーターを使用すると、内部機構が省略と縮小され、小型となるために従来設置してある取手も、片手で握れるために不必要となり、更に小型となるために卓上に置いても邪魔にならない。
【発明を実施するための最良の形態】
【０００６】  以下本発明の実施の形態について説明する。
吸引掃除機において、本体（１）にゴミ収納部（２）を設ける。
ゴミ収納部（２）にフィルター（９）を設ける。
ゴミ収納部（２）に蓋（１５）を設ける。
ゴミ収納部（２）に吸入筒（１３）と吸入口（１４）を設ける。
本体（１）にファンカバー（５）を設け、ファン（４）を設ける。
ファンカバー（５）に、通気口（８）と排気口（６）を設ける。
ファン（４）に、モーター（３）を設ける。
モーター（３）にモーターカバー（７）を設ける。
モーターカバー（７）にスイッチ（１２）を設ける。
モーターカバー（７）に電池収納部（１１）を設ける。
電池収納部（１１）に電池（１０）を設ける。
本発明は以上のような構成である。
本発明を使用するときは、吸引掃除機の機内を通過する空気の流れを、ファンより直接横へ排気させることで、機構を省略と縮小させ、底電圧の電池を使用し、取手を除去し、卓上に置けて使用できるようにしたものである。
空気での冷却の必要はなく、縮小され小型にできる。
卓上に置いて、通常の掃除機を取り出すことなく、身近や手元の消しゴムのクズや引き出しの中の砂ホコリ、タバコの灰などを吸い取る。
身体の不自由な人達には、身の回りをキレイにできて好都合である。
材料も質素なので格安で量産できる。
【図面の簡単な説明】
【０００７】
【図１】  本発明の正面図である。
【図２】  本発明の背面図である。
【図３】  本発明の平面図である。
【図４】  本発明の底面図である。
【図５】  本発明の右側面図である。
【図６】  本発明の左側面図である。
【図７】  本発明の断面図である。
【符号の説明】
【０００８】  １  本体
２  ゴミ収納部
３  モーター
４  ファン
５  ファンカバー
６  排気口
７  モーターカバー
８  通気口
９  フィルター
１０  電池
１１  電池収納部
１２  スイッチ
１３  吸入筒
１４  吸入口
１５  蓋
【図１】
2008237849.tif 000003
【図２】
2008237849.tif 000004
【図３】
2008237849.tif 000005
【図４】
2008237849.tif 000006
【図５】
2008237849.tif 000007
【図６】
2008237849.tif 000008
【図７】
2008237849.tif 000009
(57)【要約】【課題】この発明は、赤ちゃん用の粉ミルクのスプーンを入れておくのに使う、粉ミルク用スプーン入れを提供する。【解決手段】プラスチック製のケースをミルク缶にマグネットで固定させて専用スプーンを入れておく、粉ミルク用スプーン入れ。【選択図】図１
2008237873.tif 000002
【特許請求の範囲】
【請求項１】
プラスチック製のケースをミルク缶にマグネットで固定させて、専用スプーンを入れておく、粉ミルク用スプーン入れ。
【発明の詳細な説明】
【技術分野】
【０００１】この発明は、赤ちゃん用の粉ミルクのスプーンを入れておくのに使う粉ミルク用スプーン入れに関するものである。
【背景技術】
【０００２】従来、粉ミルクの中に、そのままスプーンを入れて収納していた。
【発明の開示】
【発明が解決しようとする課題】
【０００３】そのために、次のような問題点が生じていた。
（イ）ミルクがいっぱいの時は、直接手に触れたりして不衛生になっていた。
本発明は、以上の問題点を解決したものである。
【課題を解決するための手段】
【０００４】プラスチック製のケースをミルク缶にマグネットで固定させて専用スプーンを入れておく。
以上の構成からなる粉ミルク用スプーン入れである。
【発明の効果】
【０００５】したがって、スプーンは缶の中に入れないで衛生的に保管しましょうと記載されているにもかかわらず、今までスプーンを収納するようなものがなかった為に、そのまま缶の中に入れていたが、これからは別々に保管できる。
【発明を実施するための最良の形態】
【０００６】以下、本発明の実施の形態について説明をする。
（イ）プラスチックのケース（１）にマグネット（２）をつける。
本発明は以上の構成からなる、粉ミルク用スプーン入れである。以下、使用法について説明する。
ミルク缶にマグネットで、スプーン入れを固定し、スプーンを出す時は〔図２〕のように、左右に開いて取り出す事ができ、収納する時は、スプーンの重みで自然に閉まるようになっている。
したがって、スプーンを楽に出し入れができて、別々に収納する事ができ、プラスチックケースは抗菌素材の為に、衛生面でも安心できる。
【図面の簡単な説明】
【０００７】
【図１】本発明の斜視図
【図２】本発明の原理説明図
【図３】本発明の使用説明図
【符号の説明】
【０００８】１はプラスチックケース
２はマグネット
３はスプーン
４はミルク缶
【図１】
2008237873.tif 000003
【図２】
2008237873.tif 000004
【図３】
2008237873.tif 000005